(57)【特許請求の範囲】
【請求項１】
前面が扉で覆われた圧縮室内でベールを圧縮する圧縮機において、圧縮後のベールを圧縮室から前方へ押し出す装置であって、
圧縮室の背面側に配置された押出部材と、その押出部材に連結されて前方へ延び、圧縮室内で押出部材と共に前後移動可能なロッドと、そのロッドの前端に設けられ、ロッドを扉に連結する連結位置とその連結を解除する切離位置とに移動可能な連結部材と、圧縮室の外側で連結部材を連結位置と切離位置とに切り換える操作部材とからなり、操作部材によって連結部材を連結位置へ切り換えた際には、扉の開放動作に連動して押出部材が前方へ移動しベールを圧縮室から押し出すことを特徴とする圧縮機のベール押出装置。
【請求項２】
ロッドを、片開きとなる扉のヒンジ部近傍で上下方向の支軸を中心として回動可能に取り付けたパイプへ摺動可能に挿入し、連結部材を、ロッドの前端で上下方向のピンによって軸着され、パイプの前端面に引っ掛かる連結位置と、パイプの前端面への引っ掛かりを解除する切離位置とに回転可能な掛止爪とした請求項１記載の圧縮機のベール押出装置。
【請求項３】
操作部材は、扉の外側で前後方向の軸によって左右端が上下へ揺動可能に設けられた足踏ペダルを含み、足踏ペダルに、揺動姿勢に応じて掛止爪を連結位置と切離位置とに回転させるカム部を形成した請求項２記載の圧縮機のベール押出装置。
【請求項４】
圧縮室の背面に、ベールの復元を防止する復元防止爪を突設した請求項１乃至３の何れかに記載の圧縮機のベール押出装置。
【発明の詳細な説明】
【０００１】
【発明の属する技術分野】
本発明は、廃棄物等のベールを圧縮する圧縮機において、圧縮後のベールを圧縮室から押し出す装置に関するものである。
【０００２】
【従来の技術】
従来、特公昭６３−２８１号公報及び特開平８−３１８９０９号公報には、圧縮室の底面に反転部材を配置し、ベール圧縮後に反転部材を圧縮盤に連結し、圧縮盤を上昇させ、反転部材によりベールの後端を引き上げ、ベールを前方に反転させて圧縮室の外に取り出す技術が開示されている。
【０００３】
【発明が解決しようとする課題】
ところが、従来装置によると、反転部材を圧縮盤に連動させているため、作業者は反転部材の連結及び切離作業を圧縮室内で行い、圧縮盤の昇降操作は圧縮室外で行う必要があって、圧縮室に何度も入ったり出たりする面倒があった。また、ベールの後端を引き上げて反転させるので、圧縮室の背面にベールの復元を防止する爪を設ける場合に、この爪が反転時のベールに引っ掛かり、ベールに傷を付けたり、取り出しに支障を来たしたりすることがあった。
【０００４】
そこで、本発明の課題は、ベール取出時の操作を圧縮室の外で容易に行うことができるとともに、圧縮室の背面に復元防止爪を支障なく突設できる圧縮機のベール押出装置を提供することにある。
【０００５】
【課題を解決するための手段】
上記の課題を解決するために、本発明のベール押出装置は、前面が扉で覆われた圧縮室内でベールを圧縮する圧縮機において、圧縮後のベールを圧縮室から前方へ押し出す装置であって、
圧縮室の背面側に配置された押出部材と、その押出部材に連結されて前方へ延び、圧縮室内で押出部材と共に前後移動可能なロッドと、そのロッドの前端に設けられ、ロッドを扉に連結する連結位置とその連結を解除する切離位置とに移動可能な連結部材と、圧縮室の外側で連結部材を連結位置と切離位置とに切り換える操作部材とからなり、操作部材によって連結部材を連結位置へ切り換えた際には、扉の開放動作に連動して押出部材が前方へ移動しベールを圧縮室から押し出すことを特徴とする。
【０００７】
本発明の好ましい実施形態においては、ロッドを、片開きとなる扉のヒンジ部近傍で上下方向の支軸を中心として回動可能に取り付けたパイプへ摺動可能に挿入し、連結部材を、ロッドの前端で上下方向のピンによって軸着され、パイプの前端面に引っ掛かる連結位置と、パイプの前端面への引っ掛かりを解除する切離位置とに回転可能な掛止爪とした。
操作部材は、扉の外側で前後方向の軸によって左右端が上下へ揺動可能に設けられた足踏ペダルを含み、足踏ペダルに、揺動姿勢に応じて掛止爪を連結位置と切離位置とに回転させるカム部が形成される。また、ベールを効率よく圧縮できるように、圧縮室の背面にベールの復元を防止する復元防止爪が突設される。
【０００８】
【発明の実施の形態】
以下、本発明の実施の形態を図面に基づいて説明する。まず、圧縮機の全体構成を図１及び図２に従って概説する。この圧縮機は縦長の機箱１を備え、その内部に圧縮室２が形成されている。圧縮室２の前面は大扉３で覆われ、大扉３の上部には投入口４を開閉する子扉５が設けられている。圧縮室２の内部には圧縮盤６が昇降可能に設けられ、その駆動シリンダ７とガイドシリンダ８とが機箱１の上面に立設されている。
【０００９】
機箱１の前面には操作盤９が設けられ、機箱１の背面にはバンドリール１１が装備され、機箱１の底部にはベール押出装置１２が設置されている。そして、廃棄物等を投入口４から圧縮室２に投入し、圧縮盤６で圧縮し、大扉３を開け、圧縮後のベールＢをバンド１０で梱包したのち、ベール押出装置１２で圧縮室２の前方に押し出して外部に取り出すようになっている。なお、圧縮室２の背面にはベールＢの復元を防止する複数の復元防止爪１３が突設されている。
【００１０】
次に、ベール押出装置１２の構成を図３〜図８に従って詳述する。圧縮室２の背面中央部には、ベールＢを押し出す押出板１４が配置されている。押出板１４はＬ字形ステイ１５の前端にピン１６で枢着され、ステイ１５の左端には後パイプ１７が固着されている。大扉３のヒンジ部１８側にはロッド１９が前後に延びるように配置され、その後半部は後パイプ１７に挿入されピン２０で連結されている。そして、ロッド１９により押出板１４を圧縮室２内で前後に駆動する駆動部材が構成されている。なお、機箱１のベース２１には後パイプ１７を案内するローラ２２が設けられている。
【００１１】
ロッド１９の前半部には前パイプ２４が摺動可能に挿入され、その前端にはＬ字形のブラケット２５が固着されている。ブラケット２５は支軸２６により大扉３に枢着され、このブラケット２５を介して前パイプ２４が大扉３のヒンジ部１８近傍に回動可能に取り付けられている。また、ロッド１９の前端には前パイプ２４の前端面に引っ掛かる掛止爪２７がピン２８により回動可能に支持され、この掛止爪２７によってロッド１９を大扉３に切離し可能に連結する連結部材が構成されている。
【００１２】
一方、大扉３の下端部外側には操作部材としての足踏ペダル３０が軸３１により揺動可能に支持されている。足踏ペダル３０には掛止爪２７を回動するカム部３２が形成され、図６（Ａ）に示すように、ペダル３０の左側が踏まれたときに、掛止爪２７が切離位置に切り換えられ、図６（Ｂ）に示すように、ペダル３０の右側が踏まれたときに、掛止爪２７が連結位置に切り換えられるようになっている。なお、足踏ペダル３０はスプリング３３によって大扉３の下面部に当接する左右の踏込み位置に保持される。
【００１３】
次に、上記のように構成されたベール押出装置１２の使用方法について説明する。圧縮後のベールＢを梱包する際には、足踏ペダル３０の左側を踏み、掛止爪２７を切離位置に切り換えて、ロッド１９を大扉３から切り離す。この状態で、大扉３を開くと、図７に示すように、押出板１４が停止した状態で、前パイプ２４のみが大扉３に連動して前方に引き出され、掛止爪２７が前パイプ２４の内側に収納される。
【００１４】
ベールＢを梱包したのちには、足踏ペダル３０を右側に踏み換えて、大扉３を閉じる。すると、図８に示すように、足踏ペダル３０のカム部３２が掛止爪２７に係合し、掛止爪２７が連結位置に切り換えられ、ロッド１９が大扉３に連結される。この状態で、大扉３を再び開くと、図９に示すように、大扉３に連動して前パイプ２４、ロッド１９、後パイプ１７及び押出板１４がローラ２２を支点に若干傾いた状態で引き出され、押出板１４によりベールＢが圧縮室２の前方へ押し出され、復元防止爪１３から外れる。
【００１５】
その後、ベールＢを圧縮室２から取り出し、足踏ペダル３０を左側に踏み換え、大扉３を閉じ、掛止爪２７を切離位置に切り換え、押出板１４を圧縮室２の背面側に戻す。こうすれば、作業者はベールＢを取り出す際の操作を圧縮室２の外で容易に行うことができる。また、押出板１４はベールＢを圧縮室２の前方に押し出すので、従来の反転方式とは異なり、圧縮室２の背面に復元防止爪１３を支障なく突設でき、これによってベールＢを効率よく圧縮することが可能となる。
【００１６】
なお、上記使用説明では、大扉３の開放状態で足踏ペダル３０を操作しているが、大扉３の閉鎖状態で足踏ペダル３０を操作した場合でも同様の結果が得られる。また、本発明は上記実施形態に限定されるものではなく、本発明の趣旨を逸脱しない範囲で各部の形状並びに構成を適宜に変更して実施することも可能である。
【００１７】
【発明の効果】
以上詳述したように、本発明のベール押出装置によれば、扉と押出部材とを切離し可能に連動させる操作部材を圧縮室の外側に設けたので、ベール取出時の操作を圧縮室外で容易に行うことができる効果がある。また、押出部材を扉に連動させて圧縮室内で前後に移動させるので、圧縮室の背面に復元防止爪を支障なく突設でき、もってベールを効率よく圧縮できる効果がある。
【図面の簡単な説明】
【図１】本発明の一実施形態を示す圧縮機の正面図である。
【図２】圧縮機の縦断面図である。
【図３】ベール押出装置の平面図である。
【図４】ベール押出装置の正面図である。
【図５】ベール押出装置の側面図である。
【図６】足踏ペダルの作用説明図である。
【図７】ベール押出装置の作用説明図である。
【図８】ベール押出装置の作用説明図である。
【図９】ベール押出装置の作用説明図である。
【符号の説明】
１・・機箱、２・・圧縮室、３・・大扉、６・・圧縮盤、１１・・バンドリール、１２・・ベール押出装置、１３・・復元防止爪、１４・・押出板、１８・・ヒンジ部、１９・・ロッド、２４・・前パイプ、２７・・掛止爪、３０・・足踏ペダル、３２・・カム部、Ｂ・・ベール。
【図１】
0004444448.tif 000002
【図２】
0004444448.tif 000003
【図３】
0004444448.tif 000004
【図４】
0004444448.tif 000005
【図５】
0004444448.tif 000006
【図６】
0004444448.tif 000007
【図７】
0004444448.tif 000008
【図８】
0004444448.tif 000009
【図９】
0004444448.tif 000010